(57)【要約】【課題】平面形状が略Ｘ字形をなすシェル状殻体の中に光源を有する照明灯同士が線状又は面状に連結された構造の照明装置を提供する。【解決手段】ＬＥＤ素子３０が面状に点在・配置されている第一ＬＥＤモジュール３１と、そこから放射方向の外方に向かって延びる、ＬＥＤ素子が線状に点在・配置されている４個の第二ＬＥＤモジュール３２とからなるＬＥＤモジュール組立体１４を用意する。その組立体をシェル状殻体１３に収納して複数個の照明灯１０を製作する。複数個の照明灯を線状又は面状に配置して、隣接する照明灯同士を連結部材４０により連結して照明装置とする。このとき、照明灯の最外端部に嵌合される複数個のカップ体４１と、それらを一体的に連結する連結体４３とから構成される連結部材を使用する。【選択図】図９
2015173047.tif 000002
【特許請求の範囲】
【請求項１】
複数個のＬＥＤ素子（３０）が面状に点在・配置されている第一ＬＥＤモジュール（３１）と、そこから放射方向の外方に向かって延びる、複数個のＬＥＤ素子が線状に点在・配置されている４個の第二ＬＥＤモジュール（３２）とからなるＬＥＤモジュール組立体（１４）と、その組立体を内部に収納するシェル状殻体（１３）とからなる複数個の照明灯（１０）を、それら照明灯の最外端部に嵌合される底部が半球面状をなす複数個のカップ体（４１）と、それらカップ体の底部外周面（４２ｂ）同士を一体的に接合する連結体（４３）とからなる連結部材（４０）により、線状又は面状に連結したことを特徴とする照明装置。
【請求項２】
前記ＬＥＤモジュール組立体（１４）がＸ字形の平面を有している請求項１記載の照明装置。
【請求項３】
前記複数個の照明灯（１０）が前記連結部材（４０）により、曲線状、曲面状又は半球面状に連結されている請求項１記載の照明装置。
【発明の詳細な説明】
【技術分野】
【０００１】
本発明は、ＬＥＤ素子を光源とする照明灯を特定の連結部材により複数個、線状及び／又は面状に連結した室内照明装置に関するのである。
【背景技術】
【０００２】
従来から、面形状がＸ字形の照明灯は公知である（意匠登録第１２５４８４３号公報）。この特許文献１は、図１６及び図１７に示すように、平面形状が略Ｘ字形をなす上下部殻体１、２からなるシェル状殻体３と、その中に設置された、途中が屈曲した２本のフレーム４と、それらのフレーム４に同伴・固定させた、途中が屈曲している棒状の蛍光灯５からなる照明灯６を開示している。
【０００３】
さらに前記特許文献１は、図１８に示すように、前記照明灯６を６個、連結して一つの照明装置９を構成する手段として、一つの照明灯６１の一対の延出部７ａ，７ｂを、連結部材８を介して、他の一つの照明灯６２一対の延出部７ｄ，７ｃと連結する技術を開示している。
【先行技術文献】
【特許文献】
【０００４】
【特許文献１】意匠登録第１２５４８４３号公報
【発明の概要】
【発明が解決しようとする課題】
【０００５】
しかしながら、前記特許文献１記載の照明装置９には、前記照明灯６に蛍光灯５を使用することに起因する特定の形状・構造を有する連結部材８を使用しなければならないという第一の問題がある。
【０００６】
すなわち、蛍光灯４そのものの性能をより良好に維持するために、図１６において矢印Ｙに示したように、照明灯６を構成する４本の延出部７ａ、７ｂ、７ｃ、７ｄの最外端部に電源と導通する導電線を接続する必要がある。これは、必然的に蛍光灯４の両端に設けられた蛍光管の封止金具と導電線とを接続するコネクタ及びそれに付属する電装部品（いずれも図示なし）を必要とすることになる。そのため、前記連結部材を使用して複数個の照明灯を連結して一つの照明装置を製作するには、前記連結部材を特定の形状・構造にしなければならない。
【０００７】
次に、前記特許文献は蛍光灯６において光源として使用されている棒状の各蛍光灯５の両端部の電装品に対して、電力を供給する導電線を２本ずつ蛍光灯５が吊り下げられている天井から導く必要があるという第二の問題がある。これは、それだけ資源を多く必要とするのみならず、照明装置の外観を損なわせるということになる。
【０００８】
そこで、本発明者等は、上記問題を一挙に解消又は軽減可能な平面形状が略Ｘ字形をなすシェル状殻体の中に光源を有する照明装置を提案すべく、鋭意、研究したところ、発光源として特定の形状・構造を有するＬＥＤモジュール組立体が組み込まれた照明灯を使用すれば、前記連結部材の形状・構造をシンプルにできるとともに、その光源に電力を供給する導電線の１本に半減できるという事実を見出し、本発明を完成した。
【０００９】
従って、本発明の課題は、平面形状が略Ｘ字形をなすシェル状殻体の中に光源を有する照明灯が多数個連結された照明装置において、それを構成する照明灯同士を形状・構造がシンプルな連結部材により連結するとともに、前記光源に供給する電力の導電線数を半減できる照明装置を提供することにある。
【課題を解決するための手段】
【００１０】
本発明は、複数個のＬＥＤ素子が面状に配置されている第一ＬＥＤモジュールと、そこから放射方向の外方に向かって延びる、複数個のＬＥＤ素子が線状に配置されている４個の第二ＬＥＤモジュールとからなるＬＥＤモジュール組立体と、その組立体を内部に収納するシェル状殻体とからなる複数個の照明灯を、それら照明灯の最外端部に嵌合される底部が半球面状をなす複数個のカップ体と、それらカップ体の底部外周面同士を一体的に接合する連結体とからなる連結部材により、線状及び／又は面状に連結した構造の照明装置にするという手段を採用する。
【発明の効果】
【００１１】
上記手段を採用することにより、前記照明装置は、それを構成する照明灯の光源を平面形状が略Ｘ字形をなす特定のＬＥＤモジュール組立体を使用することに起因して、従来技術の光源である蛍光灯の電装部品を内包する連結部材と異なり、前記連結手段の形状・構造をシンプルにできるとともに、光源に送電する導電線の１本に半減できる。また、本発明は、前記照明装置を線状及び／又は面状に展開したので、建物内の大空間を照らすことを可能する。
【図面の簡単な説明】
【００１２】
【図１】本発明に係る照明灯の部分破断斜視図である。
【図２】同照明灯の部分破断側面図である。
【図３】前記照明灯のシェル状殻体の一部分を分解して示す分解斜視図である。
【図４】前記一部分の断面図である。
【図５】前記照明灯に組み込まれるＬＥＤモジュール組立体の一部を示す平面図である。
【図６】前記照明灯の平面外形図である。
【図７】同照明灯の斜視図である。
【図８】同照明灯を建物の室内に固定する構造図である。
【図９】２個の照明灯を一つ方向に線状に連結した照明装置を示す下面図である。
【図１０】連結部材の一実施態様を示す側面図である。
【図１１】同断面図である。
【図１２】連結部材の他の実施態様を示す側面図である。
【図１３】４個の照明灯を他の一つ方向に線状に連結した照明装置の実施例１を示す下面図である。
【図１４】６個の照明灯を水平面状に連結した照明装置の実施例２を示す下面図である。
【図１５】多数個の照明灯を湾曲面状に連結した照明装置の実施例３を示す斜視図である。
【図１６】従来技術に係る照明灯の斜視図である。
【図１７】図１６におけるＡ−Ａ矢視方向の断面図である。
【図１８】従来技術において複数個の照明灯を面状に連結した照明装置を示す下面図である。
【発明を実施するための形態】
【００１３】
次に、本発明に係るＬＥＤモジュール組立体が組み込まれている照明灯、複数個のそれら照明灯を連結する連結部材及びその連結部材を介して線状及び／又は面状に連結されている照明装置の最良の実施形態を、順次、説明する。
【００１４】
（照明灯）図１及び図２に示すように、この照明灯１０は、基本的には、平面形状がＸ字形をなし、上下方向の断面が下向きの凹状をなす上部殻体１１及び同じく前記断面が凹状をなす下部殻体１２を、あたかも両掌を上下に合わせて対掌化した樹脂製のシェル状殻体（第一の主要素）１３と、そのシェル状殻体１３の中において上部殻体１１に垂下固定されているＬＥＤモジュール組立体（第二の主要素）１４とからなる。
【００１５】
本発明の第一の主要素であるシェル状殻体１３の構造を詳述すると、図３及び図４に示すように、シェル状殻体１３の上部殻体１１の裏側中心部位には、前記ＬＥＤモジュール組立体１４を吊り下げる取付け部材１５が複数個設けられているとともに、その取付け部材１５の外周部位及び上部殻体１１のうち外方の延びる腕部には、前記ＬＥＤモジュール組立体１４を固定する固定部材１６が複数個設けられている。
【００１６】
前記上部殻体１１と対掌的に嵌合する下部殻体１２の凹状空間には何も設けられることなく、下部殻体１２の上端面部に形成されている嵌入凸条部１７を上部殻体１１の下端面部に形成されている嵌合凹溝部１８に嵌入させることにより、下部殻体１２が上部殻体１１を下方から塞ぐ下蓋機能を発揮している。
【００１７】
さらに、前記ＬＥＤモジュール組立体１４の外方端部には、前記上部殻体１１と下部殻体１２を緊束するための緊束金具１９と、それを被覆するカップ体２０とが設けられている。前記緊束金具１９は、次のように構成されている。すなわち、前記上部殻体１１と下部殻体１２の端部内面側に、シェル状殻体１３の中心に向かってそれぞれ迫り出し・形成した上部係止部２１と下部係止部２２に同時に係止される環状体２３と、前記上部殻体１１と下部殻体１２の外周面より縮径されているとともに、前記上部係止部２１と下部係止部２２を束ねるように、それらの外周面を嵌入させる段差付き緊束金具本体２４と、カップ体２０においてその端部内面側に中心に向かって迫り出し形成した係止部２５に係止される円板体２６と、前記環状体２３と円板体２６とを一体的に固定することにより、シェル状殻体１３とカップ体２０を連結するとともに、緊束金具本体２４を外部に露出させないように機能する締め付け体２７とから構成されている。なお、本発明に係る照明灯１０においてカップ体２０が４個使用されているが、そのうちの少なくとも２個のカップ体２０は、後述する連結部材の構成要素を形成する。
【００１８】
なお、この実施形態においては、前記締め付け体２７として、ねじ２７ａとナット２７ｂが使用されているとともに、前記円板体２６、緊束金具本体２４及び環状体２３のそれぞれには、前記ねじ２７ａを挿通する透孔２６ａ、２４ａ、２３ａが透設されている。さらに、前記環状体２３及び円板体２６をシェル状殻体１０及びカップ体２０に係止させるには、前者は、上部環殻体１１の所定位置に環状体２３を静置してから下部殻体１２を上部環殻体１１に組み付ける方法を採用し、後者は、カップ体２０を弾性材料から製作することにより、円板体２６をカップ体２０に圧入する方法を採用する。
【００１９】
次に、本発明の第二の主要素であるＬＥＤモジュール組立体１４について詳述する。図５に示すように、ＬＥＤモジュール組立体１４は、複数個のＬＥＤ素子３０が第一絶縁基板３３の上に面状に点在配置されている第一ＬＥＤモジュール３１と、複数個のＬＥＤ素子３０が第二絶縁基板３４の上に線状に点在配置されている第二ＬＥＤモジュール３２とからなる。
【００２０】
さらに、本発明に係る照明灯１０においては、その平面形状をＸ字形、好ましくは、図６に示すように、縦幅Ｈと横幅Ｗが異なるＸ字形の平面を保有させて、後述するような照明装置を実現するために、照明灯１０自体に線形強度を潜在させている。なお、図６において照明灯１０の「縦横」を縦軸と横軸を以て表現したが、照明灯１０を９０度回転させて図示した場合においても同様に解釈することができる。
【００２１】
そのため、照明灯１０をその上方から又は下方から視認したとき、照明灯１０のシェル状殻体１３を構成する４本の脚体、すなわち、第一、第二、第三及び第四脚体１３１，１３２，１３３，１３４のうち、第一脚体１３１と第二脚体１３２の各中心線Ｃ１、Ｃ２間がなす方位角と、第三脚体１３３と第四脚体１３４の各中心線Ｃ３、Ｃ４間がなす方位角は同一であり（これらの方位角を第一方位角αと称する。）、第二脚体１３２と第三脚体１３３の各中心線Ｃ２、Ｃ３間がなす方位角と、第四脚体１３４と第一脚体１３１の各中心線Ｃ４、Ｃ１間がなす方位角は同一であり（これらの方位角を第二方位角βと称する。）、かつ第一方位角αより第二方位角βが大きい平面形状を有している。本発明に係る照明灯１０においては第一方位角α：第二方位角β＝４０〜８５度：１４０〜９５度の範囲に収めて、前記線形強度を特定化している。ただし、第一方位角αと第二方位角βの合計は１８０度となるように調整する。なお、照明灯１０を水平に維持したとき、その中心Ｃに第一、第二、第三及び第四脚体１３１，１３２，１３３，１３４の各中心線Ｃ１，Ｃ２，Ｃ３、Ｃ４が通るようにしてもよいし、通らないようにしてもよい。
【００２２】
次に上記形状・構造の照明灯１０を建物の室内に設置する場合、図７及び図８に示すように、前記中心Ｃの位置に相当する上部殻体１１の部位に、基端部が植設された懸吊管３５の先端部を建物の固定板３６等の固定部に固定するとともに、複数個の照明灯１０が線状又は面状に隣接するように設置する。具体的には、図９に示すように、例えば、２個の第一照明灯１０１と第二照明灯１０２とを矢印Ｕに示す線状に配置する場合、第一照明灯１０１の第一脚部１３１と第二照明灯１０２の第四脚部１３４とを、そして第一照明灯１０１の第二脚部１３２と第二照明灯１０２の第三脚部１３３とをそれぞれ連結部材４０により連結して、本発明に係る照明装置５０を製作する。なお、前記懸吊管３５の中に前述したＬＥＤモジュール組立体１４のＬＥＤ素子３０に送電する導電線３７が埋入されている（図７を参照）。
【００２３】
（連結部材）上記連結部材４０は、図１０及び図１１に示すように、底部４１ａが半球面層状をなし、開口４２ａ寄りの側壁部４１ｂが短筒状をなす第一カップ体４１１と、同様の形状・構造を有する第二カップ体４１２と、それらを連結する連結体４３とから構成されている。なお、以下において、前記第一カップ体４１１と第二カップ体４１２とをまとめて表現するとき、単に「カップ体４１」と表示し、連結部材４０として使用されないカップ体２０とも区別する。
【００２４】
前記カップ体４１の開口４２ａ寄りの内面には、前述したカップ体２０と同様にシェル状殻体１３に止着される緊束金具１９の板状体２６が係止される環条の係止部２５が形成されている。また、前記カップ体４１の内部は、従来技術における電装部品を収納するに必要な工夫がなされることなく、単に空間になっている。
【００２５】
また、前記連結体４３は、放物線をその頂点より高い水平軸を中心にして回転させたとき認識される回転曲面、言い換えれば、鼓のような形状を有している。さらに、前記連結体４３の外周面と前記カップ体４１の底部４１ａの外周面（底部外周面）４２ｂとは線形に繋がって面一乃至は連続面になって延展している。そのためカップ体４１と連結体４３との間において、それらが分離を誘発する起点乃至は起線がなくなり、その結果、連結体４３に曲げの負荷がかかっても、両者は分離しない。
【００２６】
このように、前記連結体４３の外周面と前記カップ体４１の底部外周面４２ｂの外周面とを面一に延展できるようにできるのは、本発明に係る連結部材４０の製造方法に起因している。すなわち、前記連結部材４０は、エラストマ、すなわち、ハードセグメントとソフトセグメントを有するスチレン系、ウレタン系、エステル、アミド系等の高分子材料を溶融して、前記カップ体４１と連結体４３とを一体成型することにより、製造されているからである。
【００２７】
なお、図１０及び図１１の実施態様と異なり  カップ体が４個存在する連結部材により、４個の照明灯を連結する場合、図１２に示すように、第一、第二、第三、第四カップ体４１１，４１２，４１３，４１４を連結体４３１，４３２，４３３，４３４を介して環状に連結した連結部材４０を使用する。
【００２８】
（照明装置）最後に、本発明に係る照明装置について、説明するが、それを構成する照明灯、それを建物の天井等に設置する構造及び複数個の照明灯を連結する連結部材の形状・構造等は、前述したとおりであるので、以下に列挙する実施例については、照明灯の下面を示す外観形状又はシェル状殻体の斜面形状のみを以て説明する。
【実施例１】
【００２９】
この実施例は、図９に示したように、複数個の照明灯を連結部材により線状に連結して照明装置を形成する本発明の一実施態様を示すものである。すなわち、図１３に示すように、５個の照明灯１０を、連結部材４０を介して、本発明に係る照明装置５０を構成する。具体的には、第一照明灯１０１と第二照明灯１０２とを縦にして（図１３を９０度回転させて）矢印Ｖに示す横方向に線状配置・展開する場合、第一照明灯１０１の第一脚部１３１と第二照明灯１０２の第二脚部１３２とを、そして第一照明灯１０１の第四脚部１３４と第二照明灯１０２の第三脚部１３３とをそれぞれ連結部材４０により連結する。
【００３０】
なお、この実施態様において「照明灯を縦にする」とは、縦幅Ｈが横幅Ｗより大きなＸ字形の平面を有する照明灯１０を縦にして矢印Ｖの方向に連結することを意味する。従って、図９に示した実施態様においては、照明灯１０を縦方向に線状配置・展開しているので、この実施態様と複数個の照明灯の展開方向が９０度異なっている。また、いずれの実施態様において照明灯は複数個であれば、当然ながら、図示した個数に限定されることなく、任意に照明灯を増やすことができる。
【実施例２】
【００３１】
この実施例は、図９及び図１３に示したように、複数個の照明灯を連結部材により面状に連結して照明装置を形成する本発明の他の実施態様を示すものである。すなわち、図１４に示したように、連結部材４０を介して縦に連結した第一照明灯１０１と第二照明灯１０２からなる照明群の第一照明灯１０１に対して、連結部材４０を介して第十一照明灯１１１等を横に連結することにより、本発明の実施例２に係る水平面状の照明灯５０を製作する。
【実施例３】
【００３２】
この実施例は、実施例２で製作した水平面状の照明装置５０を湾曲して曲面状の照明装置５０を創出しようとするものである。照明装置５０は、室内空間がより大きな建物内の照明装置として利用できる。
【００３３】
本発明は、その根本的技術思想を踏襲しかつ発明の効果を著しく損なわない限度において、前記実施態様に一部分を変更して実施することができる。例えば、前記実施例１に係る照明装置を曲線状に変形したり、実施例３に係る照明装置を波状又は半球面状に変形したりすることもできる。
【産業上の利用可能性】
【００３４】
本発明は、これまで光源として蛍光灯を使用していた分野に広く利用することができる。
【符号の説明】
【００３５】
１０：照明灯、１１：上部殻体、１２：下部殻体、１３：シェル状殻体、１４：ＬＥＤモジュール組立体、１５：取付け部材、１６：固定部材、１７：凸条部、１８：嵌合凹溝部、１９：緊束金具、２０：カップ体、２１：上部係止部、２２：下部係止部、２３：環状体、２４：緊束金具本体、２５：係止部、２６：円板体、２７：締め付け体、３０：ＬＥＤ素子、３１：第一ＬＥＤモジュール、３２：第二ＬＥＤモジュール、３３：第一絶縁基板、３４：第二絶縁基板、３５：懸吊管、３６：固定板、３７：導電線、４０：連結部材、４１：カップ体、４１ａ：底部、４１ｂ：側壁部、４２ａ：開口、４２ｂ：底部外周面、４３：連結体、５０：照明装置。
【図１】
2015173047.tif 000003
【図２】
2015173047.tif 000004
【図３】
2015173047.tif 000005
【図４】
2015173047.tif 000006
【図５】
2015173047.tif 000007
【図６】
2015173047.tif 000008
【図７】
2015173047.tif 000009
【図８】
2015173047.tif 000010
【図９】
2015173047.tif 000011
【図１０】
2015173047.tif 000012
【図１１】
2015173047.tif 000013
【図１２】
2015173047.tif 000014
【図１３】
2015173047.tif 000015
【図１４】
2015173047.tif 000016
【図１５】
2015173047.tif 000017
【図１６】
2015173047.tif 000018
【図１７】
2015173047.tif 000019
【図１８】
2015173047.tif 000020